(57)【特許請求の範囲】
【請求項１】
横部片と縦部片とで断面Ｌ形の、第一、第二の接合金具を構成し、軸組材で構成した開口部に嵌合した壁パネルの一方の片面側の上下両側に前記第一接合金具を、他方の片面側の上下両側には前記第二接合金具をそれぞれ配して前記横部片において前記軸組材の横材に釘着すると共に、前記第二接合金具の前記縦部片を貫通させた締付けボルトの先端を前記壁パネルを通じて第一接合金具の前記縦部片に設けたねじ孔に螺合した、木造建物における壁パネルの取付け装置。
【請求項２】
第二接合金具を縦部片において壁パネルに釘着した、請求項１記載の、木造建物における壁パネルの取付け装置。
【発明の詳細な説明】
【技術分野】
【０００１】
本発明は、木造建物において軸組材で構成する開口部を構造用面材などの壁パネルで閉塞する際に適用する、木造建物における壁パネルの取付け装置に関するものである。
【背景技術】
【０００２】
方形状の枠体の片面にパネル（平板）を取付けて構造用面材と成し、該面材を軸組材で構成した開口部に嵌合して、前記枠体において前記軸組材に止着するように構成した構造のものがある（例えば、特許文献１）。
【０００３】
【特許文献１】特許第２９３９５７８号公報
【発明の開示】
【発明が解決しようとする課題】
【０００４】
前記従来構造のものは、壁パネルを構成する枠体を利用して軸組材に取付けるため、軸組材で構成する開口部と、面材を構成する該枠体の大きさの不一致が取付け強度に影響を与え、従って、その分、材の加工作業が煩雑となり、また、止着作業自体、定型化する構造のものではないので、取付け精度にバラつきが生じ、量産にそぐわない。
【０００５】
本発明は、斯様な従来例の欠点を回避できる斬新な構造の、壁パネルの取付け装置を提供するために創案したものである。
【課題を解決するための手段】
【０００６】
横部片と縦部片とで断面Ｌ形の、第一、第二の接合金具を構成し、軸組材で構成した開口部に嵌合した壁パネルの一方の片面側の上下両側に前記第一接合金具を、他方の片面側の上下両側には前記第二接合金具をそれぞれ配して前記横部片において前記軸組材の横材に釘着すると共に、前記第二接合金具の前記縦部片を貫通させた締付けボルトの先端を前記壁パネルを通じて第一接合金具の前記縦部片に設けたねじ孔に螺合したことを基本的手段とし、この基本的手段に第二接合金具を縦部片において壁パネルに釘着した点を付加することにより取付け強度を向上させた取付け装置を提供できる。
【発明の効果】
【０００７】
本発明によれば、壁パネルを上、下の両端側において軸組材を構成する横材に接合金具を介して止着するものであるから、壁パネルや軸組の加工誤差を吸収して、安定的に取付けることができ、しかも、軸組の見込み寸法内で壁パネルを取付ける構成を採るものであるから、前記見込み寸法外に存する既設の壁材と無関係に壁パネルを取付けられ、従って、既設の壁の補強に適用するに好適である。
【実施例】
【０００８】
図面は本発明に係る構造用面材の取付け装置の一実施例を示し、図１は略示正面図、図２は図１の縦断面図、図３は図１の横断面図、図４は図１の一部拡大図、図５は図４の縦断面図、図６は図４の横断面図、図７は第一接合金具の正面図、図８は図７の一部欠截正面図、図９は第二接合金具の正面図、図１０は図９の側面図である。
【０００９】
本発明は、上下の横軸組材１，２と、左右の縦軸組材３，４で構成した、木造建物の開口部５に壁パネル６を嵌合し、該壁パネル６を、第一、第二の接合金具７，８を用いて前記上下の横軸組材１，２に取付けて構成するものである。
【００１０】
第一接合金具７は、縦部片７ａを横部片７ｂとで成る、鋼板を屈曲形成したＬ形体で成り、縦部片７ａの、横部片７ｂ側の片面の上部には螺子材９Ａを熔接してねじ孔９，９，９を並設し、横部片７ｂには固定釘１０挿通用の透孔１１を設けて構成したものである。
【００１１】
第二接合金具８は、第一接合金具７と同様に、縦部片８ａと横部片８ｂとで成り、鋼板を屈曲形成した、第一接合金具７と対称的なＬ形体で成り、縦部片８ａの上部には第一接合金具７側の前記ねじ孔９，９，９に対応させて挿通孔１２，１２，１２を並設し、やや下方側の中間部には止着釘１３挿通用の透孔１４，…を並設すると共に、横部片８ｂには第一接合金具７側と同様に透孔１５を設けて固定釘１０を挿通するように構成したものである。
【００１２】
そして、上、下の横軸組材１，２の両側に、第一、第二の接合金具７，８が軸組見込み方向に互いに一致して重なり合う取付け位置になるように目印を付けておき、該目印に従って、横軸組材１，２に横部片７ｂにおいて透孔１１を通じて固定釘１０を打ち込んで、第一接合金具７を、上、下の横軸組材１，２の両側の、見込み方向の一側に偏してそれぞれ順次止着する。
【００１３】
そして、第一接合金具７の縦部片７ａに設けた前記ねじ孔９と一致するように通し孔１７を予め設けた壁パネル６の一方の片面を、前記見込み方向の他方側から止着済の、第一接合金具７の縦部片７ａに重ね合わせ、縦部片８ａを前記目印に従って壁パネル６の他方の片面側に、固着済の第一接合金具７の縦部片７ａに重ね合わせるようにして、横部片８ｂを透孔１５を通じて固定釘１０で横軸組材１，２に固定して、第二接合金具８を、開口部５の４隅に順次止着して、壁パネル６を第一接合金具７とで保持させ、互いに一致する挿通孔１２と通し孔１５を通じて締付けボルト１６の先端を、第一接合金具８に設けたねじ孔９に螺合して壁パネル６を上、下の横軸組材１，２および左、右の縦軸組材３，４で成る開口部５内に収納状態で取付ける。
【００１４】
そして、第二接合金具８の縦部片８ａに設けた透孔１４を通じて止着釘１３の先端をパネル６内に打ち込んで、壁パネル６は第一接合金具７に止着され、実施例の取付け装置を得るのである。
【００１５】
なお、上横軸組材１は梁、下横軸組材２は土台とするのが一般であるが（左、右の縦軸組材３，４は柱）、要は、縦、横の軸組材で構成する開口部を閉塞するに際し用いられる壁パネルの取付けに本発明は適用され、従って、図２、図５或いは図６で二点鎖線で示す既設の壁１９を残存させて、壁パネル６を取付ける際にも適用され、この場合は、壁パネル６開口部６内に配することにより壁１９に対する有効な補強となる。
【図面の簡単な説明】
【００１６】
【図１】略示正面図。
【図２】図１の縦断面図。
【図３】図１の横断面図。
【図４】図１の一部拡大図。
【図５】図４の縦断面図。
【図６】図４の横断面図。
【図７】第一接合金具の正面図。
【図８】図７の一部欠截正面図。
【図９】第二接合金具の正面図。
【図１０】図９の側面図。
【符号の説明】
【００１７】
５      開口部
６      壁パネル
７      第一接合金具
７ａ    縦部片
７ｂ    横部片
８      第二接合金具
８ａ    縦部片
８ｂ    横部片
９      ねじ孔
１６    締付けボルト
【図１】
0005102111.tif 000002
【図２】
0005102111.tif 000003
【図３】
0005102111.tif 000004
【図４】
0005102111.tif 000005
【図５】
0005102111.tif 000006
【図６】
0005102111.tif 000007
【図７】
0005102111.tif 000008
【図８】
0005102111.tif 000009
【図９】
0005102111.tif 000010
【図１０】
0005102111.tif 000011